(57)【要約】  リモート送受信機との通信チャネルを確立するために加入者線に結合するように構成された送信パスおよび受信パスを形成する共有および個別のコンポーネントを有する送受信機。送受信機は、リモート送受信機とのセッションに入る前に加入者線で疑似リンクを管理するため、送信パスコンポーネントと受信パスコンポーネントとの間に結合された疑似リンクマネージャを備える。疑似リンクマネージャは、回線モニタおよびディスラプタを含む。回線モニタは、セッションを開始する前に、リモート送受信機上の先在するセッションを指示する受信通信信号があるか否か加入者線を監視する。ディスラプタは、モニタによる受信通信信号の検出に応答して、加入者線上でディスラプタ信号をリモート送受信機に送信し、それによりリモート送信機の先在するセッションを中断させて、新しいセッションがリモート送受信機と確立されるようにすることができる。
2011511535.tif 000002
【特許請求の範囲】
【請求項１】
リモート送受信機との通信チャネルを確立するために加入者線に結合するように構成された送信パスおよび受信パスを形成する共有および個別のコンポーネントを有する送受信機であって、
前記リモート送受信機とのセッションに入る前に前記加入者線で疑似リンクを管理するため、前記送信および受信パスコンポーネント間に結合される疑似リンクマネージャを備え、前記疑似リンクマネージャは、
セッションを開始する前に、前記リモート送受信機上の先在するセッションを指示する受信通信信号があるか否か前記加入者線を監視する回線モニタと、
前記モニタによる前記受信通信信号の前記検出に応答して前記加入者線上でディスラプタ信号を前記リモート送受信機に送信し、それにより前記リモート送信機の先在するセッションを中断させて新しいセッションが前記リモート送受信機と確立されるようにすることができるディスラプタとを含む、
送受信機。
【請求項２】
前記加入者線のクロストークの電力レベルを検出するクロストーク検出器と、
前記クロストーク検出器によって検出された前記電力レベルよりも大きいレベルで前記ディスラプタ信号の電力レベルを設定するように構成されたディスラプタとをさらに備える、請求項１に記載の送受信機。
【請求項３】
前記通信チャネルはＸＤＳＬマルチトーン変調通信チャネルを備える、請求項１に記載の送受信機。
【請求項４】
複数の加入者線のうちの対応する１つに各々結合された複数の送受信機と、リモート送受信機との通信チャネルを確立するために前記複数の加入者線のうちの対応する１つに結合された前記複数の送受信機のうちの選択された１つを備える通信システムであって、前記複数の送受信機のうちの前記選択された１つは、
前記リモート送受信機とのセッションに入る前に前記複数の加入者線のうちの前記対応する１つで疑似リンクを管理するため前記送信および受信パスコンポーネント間に結合される疑似リンクマネージャを備え、前記疑似リンクマネージャは、
セッションの開始前に前記リモート送受信機と前記複数の送受信機のうちの別の１つとの間の先在するセッションを指示する受信通信信号があるか否か前記複数の加入者線のうちの前記対応する１つを監視する回線モニタと、
前記モニタによる前記受信通信信号の前記検出に応答して前記複数の加入者線のうちの前記対応する１つを介してディスラプタ信号を送信し、それにより前記リモート送受信機の先在するセッションを中断させて新しいセッションが前記複数の送受信機のうちの前記選択された１つと前記リモート送受信機との間で確立されるようにすることができるディスラプタとを含む、
通信システム。
【請求項５】
前記複数の加入者線のうちの前記対応する１つのクロストークの電力レベルを検出するクロストーク検出器と、
前記クロストーク検出器によって検出された前記電力レベルよりも大きいレベルで前記ディスラプタ信号の電力レベルを設定するように構成されたディスラプタとをさらに備える請求項４に記載の通信システム。
【請求項６】
前記通信チャネルはＸＤＳＬマルチトーン変調通信チャネルを備える、請求項４に記載の送受信機。
【請求項７】
通信チャネルを確立するために通信媒体に結合するように構成された送信パスおよび受信パスを形成する共有および個別のコンポーネントを有する送受信機を操作するための方法であって、
セッションの開始前に前記リモート送受信機上の先在するセッションを指示する受信通信信号があるか否か前記加入者線を監視するステップと、
前記監視する動作における前記受信通信信号の前記検出に応答して前記加入者線上でディスラプタ信号を前記リモート送受信機に送信し、それにより前記リモート送信機の先在するセッションを中断させるステップと、
新しいセッションを前記送受信機と前記リモート送受信機との間で開始するステップと、
を備える方法。
【請求項８】
前記監視する動作および送信する動作は、
前記加入者線のクロストークの電力レベルを検出するステップと、
前記検出する動作において検出された前記電力レベルよりも大きいレベルで前記ディスラプタ信号の電力レベルを設定するステップとをさらに備える、請求項７に記載の方法。
【請求項９】
前記通信チャネルはＸＤＳＬマルチトーン変調通信チャネルを備える、請求項７に記載の方法。
【請求項１０】
複数の加入者線のうちの対応する１つに各々結合された複数の送受信機と、リモート送受信機との通信チャネルを確立するために前記複数の加入者線のうちの対応する１つに結合された前記複数の送受信機のうちの選択された１つを備える通信システムを操作するための方法であって、
セッションの開始前に前記リモート送受信機上の先在するセッションを指示する受信通信信号があるか否か前記複数の加入者線のうちの前記対応する１つを監視するステップと、
前記監視する動作における前記受信通信信号の前記検出に応答して前記複数の加入者線のうちの前記対応する１つでディスラプタ信号を前記リモート送受信機に送信し、それにより前記リモート送信機の先在するセッションを中断させるステップと、
新しいセッションを前記送受信機と前記リモート送受信機との間で開始するステップと、
を備える方法。
【請求項１１】
前記監視および送信する動作は、
前記複数の加入者線のうちの前記対応する１つのクロストークの電力レベルを検出するステップと、
前記検出する動作において検出された前記電力レベルよりも大きいレベルで前記ディスラプタ信号の電力レベルを設定するステップとをさらに備える、請求項１０に記載の方法。
【請求項１２】
前記通信チャネルはＸＤＳＬマルチトーン変調通信チャネルを備える、請求項１０に記載の方法。
【請求項１３】
通信チャネルを確立するために通信媒体に結合するように構成された送信パスおよび受信パスを形成する共有および個別のコンポーネントを有する送受信機を操作するための手段であって、前記手段は、
セッションの開始前に前記リモート送受信機上の先在するセッションを指示する受信通信信号があるか否か加入者線を監視するための手段と、
前記監視するための手段による前記受信通信信号の前記検出に応答して前記加入者線上でディスラプタ信号を前記リモート送受信機に送信し、それにより前記リモート送信機の先在するセッションを中断させる手段と、
新しいセッションを前記送受信機と前記リモート送受信機との間で開始するための手段と、
を備える手段。
【請求項１４】
前記監視および送信するための手段は、
前記加入者線のクロストークの電力レベルを検出するための手段と、
前記検出するための手段により検出された前記電力レベルよりも大きいレベルで前記ディスラプタ信号の電力レベルを設定するための手段とをさらに備える、請求項１３に記載の手段。
【請求項１５】
前記通信チャネルはＸＤＳＬマルチトーン変調通信チャネルを備える、請求項１３に記載の手段。
【請求項１６】
複数の加入者線のうちの対応する１つに各々結合された複数の送受信機と、リモート送受信機との通信チャネルを確立するために前記複数の加入者線のうちの対応する１つに結合された前記複数の送受信機のうちの選択された１つを備える通信システムを操作するための手段であって、
セッションの開始前に前記リモート送受信機上の先在するセッションを指示する受信通信信号があるか否か前記複数の加入者線のうちの前記対応する１つを監視するための手段と、
前記監視するための手段による前記受信通信信号の前記検出に応答して前記複数の加入者線のうちの前記対応する１つでディスラプタ信号を前記リモート送受信機に送信し、それにより前記リモート送信機の先在するセッションを中断させる手段と、
新しいセッションを前記送受信機と前記リモート送受信機との間で開始するための手段と、
を備える手段。
【請求項１７】
前記監視および送信するための手段は、
前記複数の加入者線のうちの前記対応する１つのクロストークの電力レベルを検出するための手段と、
前記検出するための手段により検出された前記電力レベルよりも大きいレベルで前記ディスラプタ信号の電力レベルを設定するための手段とをさらに備える、請求項１６に記載の手段。
【請求項１８】
前記通信チャネルはＸＤＳＬマルチトーン変調通信チャネルを備える、請求項１６に記載の手段。
【発明の詳細な説明】
【技術分野】
【０００１】
関連出願の相互参照
本願は、参照により本明細書において完全に示されるごとく全体を援用する２００８年１月２９日に出願した「Ｍｅｔｈｏｄ  ａｎｄ  Ａｐｐａｒａｔｕｓ  ｆｏｒ  Ｃｏｒｒｅｃｔｉｎｇ  ｔｈｅ  ｘＤＳＬ  ｓｙｎｃｈ−ｕｐ  Ｃｏｎｄｉｔｉｏｎ  ｏｖｅｒ  ｔｈｅ  Ｃｒｏｓｓ−Ｔａｌｋ  ｏｆ  ｔｈｅ  Ｔｗｉｓｔｅｄ−Ｐａｉｒｓ（ツイストペアのクロストークを介するｘＤＳＬ同期アップ状態を修正するための方法および装置）」（整理番号：ＶＥＬＣＰ０８２Ｐ）と題する以前出願された同時係属仮出願第６１／０２４３３１号の利点を主張するものである。
【０００２】
本発明の分野は、マルチトーン送受信機に関する。
【背景技術】
【０００３】
すべてが広範にＸ−ＤＳＬとして認識されるＧ．Ｌｉｔｅ、ＡＤＳＬ、ＡＤＳＬ２、ＡＤＳＬ２＋、ＶＤＳＬ１、ＶＤＳＬ２、ＨＤＳＬを含むデジタル加入者線（ＤＳＬ）技術およびその改良は、電信電話会社により開発された高速バックボーンネットワークへの既存の加入者線接続の有効帯域幅を増大させるために開発されてきた。Ｘ−ＤＳＬモデムは、音声帯域周波数よりも高い周波数で動作するので、Ｘ−ＤＳＬモデムは、音声帯域モデムつまり電話通話と同時に動作することができる。
【０００４】
新しいＸＤＳＬプロトコルは各々、加入者線の帯域幅要件を高める。帯域幅要件が増大すれば、それに応じてモデムコンポーネントの複雑さも増大する。加えて、モデムが結合されうる個々の加入者線におけるループ損失に膨大なばらつきがあるため、モデムの送信パスおよび受信パスの個々のコンポーネントは、選択された加入者線で使用可能な帯域幅と一致するように再構成可能である必要がある。
【０００５】
通常、電話会社の中央局（ＣＯ）は、各々多数の加入者線にサービスを提供する回線カードのラックを含む。各回線カードは、加入者線にわたりさまざまなＸＤＳＬ通信のデジタル部分およびアナログ部分を処理する多数のチップを含む。デジタル加入者線のうちの対応する１つに変調された各通信チャネルは、束の中のデジタル加入者線の残りの線に変調された通信チャネルからのクロストークの影響を受ける。このクロストークは、加入者線の束の各デジタル加入者線のパフォーマンスを低下させ、極端な場合には特定の加入者線接続を動作不能にすることもある。
【発明の概要】
【発明が解決しようとする課題】
【０００６】
必要とされているのは、束ねられたデジタル加入者線の変化するクロストークレベルに対応するための改良された機能を備えるモデムである。
【課題を解決するための手段】
【０００７】
ＸＤＳＬ疑似リンクを管理するための方法および装置が開示される。本発明の１つの実施形態において、リモート送受信機との通信チャネルを確立するために加入者線に結合するように構成された送信パスおよび受信パスを形成する共有および個別のコンポーネントを有する送受信機が開示される。送受信機は、疑似リンクマネージャを備える。疑似リンクマネージャは、リモート送受信機とのセッションに入る前に加入者線で疑似リンクを管理するため、送信パスコンポーネントと受信パスコンポーネントとの間に結合される。疑似リンクマネージャは、回線モニタおよびディスラプタ（中断機）を含む。回線モニタは、セッションを開始する前に、リモート送受信機上の先在するセッションを指示する受信通信信号があるか否か加入者線を監視する。ディスラプタは、モニタによる受信通信信号の検出に応答して、加入者線上でディスラプタ信号をリモート送受信機に送信し、それによりリモート送信機の先在するセッションを中断させて、新しいセッションがリモート送受信機と確立されるようにすることができる。
【０００８】
本発明の代替の実施形態において、複数の加入者線のうちの対応する１つに各々結合された複数の送受信機を備える通信システムが開示される。複数の送受信機のうちの選択された１つは、リモート送受信機との通信チャネルを確立するために複数の加入者線のうちの対応する１つに結合される。複数の送受信機のうちの選択された１つは、疑似リンクマネージャを含む。疑似リンクマネージャは、リモート送受信機とのセッションに入る前に、複数の加入者線のうちの対応する１つで疑似リンクを管理するために、送信パスコンポーネントと受信パスコンポーネントとの間に結合される。疑似リンクマネージャは、回線モニタおよびディスラプタを含む。回線モニタは、セッションの開始前に、リモート送受信機と複数の送受信機のうちの別の１つとの間の先在するセッションを指示する受信通信信号があるか否か複数の加入者線のうちの対応する１つを監視する。ディスラプタは、モニタによる受信通信信号の検出に応答して、複数の加入者線のうちの対応する１つを介してディスラプタ信号を送信し、それによりリモート送受信機の先在するセッションを中断させて、新しいセッションが複数の送受信機のうちの選択された１つとリモート送受信機との間で確立されるようにすることができる。
【０００９】
関連する手段および方法もまた開示される。
本発明の前述およびその他の特徴および利点は、以降の詳細な説明を添付の図面と併せて検討すれば、当業者にはさらに明らかとなろう。
【図面の簡単な説明】
【００１０】
【図１】住宅用顧客および企業用顧客との公共サービス電話網（ＰＳＴＮ）加入者線上の高速通信リンクを介して個々の加入者が結合されるマルチトーン通信システムを示すシステム図である。
【図２Ａ】束の中の対応する加入者線によって相互に結合される送受信機の対向するセットを示すハードウェアブロック図である。
【図２Ｂ】図２Ａに示される束の中の加入者線を示す断面図である。
【図３】ＸＤＳＬ疑似リンク管理が行われる時間間隔にわたる加入者線の代表的な１つのマルチトーン変調プロトコルのスペクトルプロファイルを示す３軸のグラフである。
【図４】図１に示される中央局の回線カードに搭載された本発明の送受信機の実施形態を示すハードウェアブロック図である。
【図５】ＸＤＳＬ疑似リンク管理に関連付けられているプロセスの実施形態を示すプロセス流れ図である。
【発明を実施するための形態】
【００１１】
通信チャネルのマルチトーン変調を各々サポートする複数のデジタル加入者線の間のクロストークチャネル推定のための方法および装置が開示される。回線カードは、中央局、リモートアクセス端末、企業、または家庭において備えられることもある。回線カードは、１つまたは複数の光または無線リンクを介してデジタル加入者線に直接または間接的に結合されてもよい。回線カードは、以下のものを含む（ただし、それらに限定されることはない）非対称デジタル加入者回線（ＡＤＳＬ）、Ｖｅｒｙ  Ｈｉｇｈ  Ｂｉｔ  Ｒａｔｅ  Ｄｉｇｉｔａｌ  Ｓｕｂｓｃｒｉｂｅｒ  Ｌｉｎｅ（ＶＤＳＬ）、およびその他の直交周波数分割多重（ＯＦＤＭ）プランを含む、マルチトーンプロトコルに対する異なる度合いの堅牢性を備える通信チャネルをサポートする。
【００１２】
【表１】
2011511535.tif 000003
【００１３】
図１は、住宅用顧客および企業用顧客との公共サービス電話網（ＰＳＴＮ）ツイスト銅線加入者線上の高速通信リンクを介して個々の加入者が結合されるマルチトーン通信システムを示すシステム図である。データ通信は、Ｇ．Ｌｉｔｅ、ＡＤＳＬ、およびＶＤＳＬを含むさまざまなＸ−ＤＳＬプロトコルを使用して変調されてもよい。中央局（ＣＯ）１００は、たとえば、加入者線１０２、１０４、１０６の束１０８を介して複数の住宅および企業加入者１１０に結合される。各々のＣＯ加入者接続１０２〜１０６は、ＣＯのフレームルーム１４８で終端する。このルームから、接続は、加入者線ごとにスプリッタおよびハイブリッドを介して、デジタル加入者回線アクセスモジュール（ＤＳＬＡＭ）コントローラ１２２および音声帯域ラック１５０へと行われる。スプリッタは、音声帯域通信を、たとえば回線カード１５４などの専用回線カード、または音声帯域モデムプール（図示せず）に分路する。スプリッタは、加入者線上のより高い周波数Ｘ−ＤＳＬ通信を、ＤＳＬＡＭ１３０内の選択された回線カード１３４に分路する。本発明の回線カードは汎用である、つまり、任意の現在または進化するＸ−ＤＳＬの規格を扱うことができ、新しい規格を扱うために実行中にアップグレードされてもよい。
【００１４】
公衆交換電話網（ＰＳＴＮ）上の加入者間の音声帯域コールセットアップは、たとえば回線カード１５４などの音声帯域回線カードのうちの関連する１つを介して接続をセットアップおよび解除するために共通チャネル信号システム７（ＳＳ７）のような交換プロトコルを実施するＴｅｌｃｏ交換マトリクス１５２によって制御される。これは、音声帯域通信の他の加入者への２地点間接続を行う。Ｘ−ＤＳＬ通信は、回線カード１３４のような汎用回線カードによって処理されてもよい。その回線カードは、各々複数の加入者線をサポートすることができる複数のＡＦＥ、たとえば１４２〜１４６を含む。ＡＦＥは、ＡＦＥが結合されるすべての加入者線のマルチプロトコルサポートも可能なＤＳＰ１３６に、直接、または本発明のこの実施形態におけるようにパケットベースのバス１４０を介して結合されてもよい。回線カードは、２つ以上のＤＳＰを含むことができる。
【００１５】
各回線カードが結合される加入者線の疑似リンク管理は、本発明の実施形態において、各回線カード上の疑似リンク管理モジュール１３８によって処理される。束ねられた加入者線間のクロストークは、その他の場合は接続されていない送受信機ペアの間の疑似リンクをまねく可能性がある。示される例において、疑似リンク１１２は、ＡＦＥ１４２およびそれが結合されている加入者線１０２に関連付けられているＣＯ送受信機と、加入者線１０４のリモートエンドに結合されている加入者との間に示される。この疑似リンクは、結果として、リモート加入者と、加入者が物理的な接続を有していないＣＯ上の送受信機との間にセッションを確立することもある。唯一の接続はむしろ、誘導結合と、それに伴う束の中の隣接する加入者線、たとえば１０２および１０４との間に生じるクロストークによって助長された微弱なものである。疑似リンクは、加入者の「疑似」セッションに関連付けられているデータ転送速度を著しく減衰するだけではなく、たとえば加入者が、たとえば加入者線１０４などを介して物理的に結合されるＣＯ送受信機との間の適正なセッションが行われることも妨げる。この後者の問題は、加入者がセッションを開始することに起因する。加入者は、「疑似」セッションのトレーニングまたはショータイムフェーズにある場合、セッションを開始するために肯定応答要求信号（ＡＣＫＲＥＱ）をＣＯに送信しない。疑似リンク管理モジュールは、疑似セッションを検出して中断し、それにより正常セッションが開始されるようにすることで、この問題を処理する。
【００１６】
各回線カードは、本発明の実施形態においてロードバランシングのために他のＤＳＰ間の待ち時間の少ないＸ−ＤＳＬトラフィックをオフロードしてトランスポートすることができるバックプレーンバス１３２に結合される。ＡＦＥとＤＳＰとの間の通信は、本発明の実施形態において、後続の図２に示されるような分散アーキテクチャが実施されるようにすることができるパケットベースである。各々のＤＳＬＡＭ回線カードは、たとえば加入者線のＡＦＥおよびＤＳＰリソースへの割り振りなどのグローバルプロビジョニングを処理するＤＳＬＡＭコントローラ１２２の制御の下でマルチトーン送受信機として動作する。加入者と、たとえばＡＦＥおよびＤＳＰなどのＤＳＬＡＭサブモジュールのうちの選択された１つとの間でＸ−ＤＳＬ接続が確立されると、加入者は、ＤＳＬＡＭがサーバ１２０を介して接続される、たとえばインターネット１１６などのネットワークにアクセスすることができるようになる。
【００１７】
図２Ａは、束２００の中の対応する加入者線によって相互に結合される送受信機の対向するセットを示すハードウェアブロック図である。対向するセットのうちの１つの中で、送受信機２２０〜２２２が参照される。もう１つの対向するセットの中で、送受信機２２６、２２８が参照される。６０以上の加入者線を含むことができる束の中で、線２０２〜２１２が参照される。
【００１８】
図２Ｂは、図２Ａに示される束の中の加入者線を示す断面図である。加入者線２０２〜２１２が参照される。どのデジタル通信も信号干渉を経験し、ＤＭＴのような複数サブチャネルをサポートする通信プロトコルは例外ではない。干渉は、サブチャネルの振幅およびフェーズの両方に影響を与える可能性がある。そのようなノイズは、時間および／または周波数の領域にわたり生じる可能性がある。束の中の各々の加入者線は、時間領域および／または周波数領域にわたりさまざまな量で束の中の他の線を遮蔽するか、または他の線に干渉する。従来技術のシステムにおいて、この集約による振る舞いは、マルチトーン変調を実施する加入者線のいずれかへの対応する固定ＰＳＤマスクの要件によって不十分に対処される。すべての加入者線は、たとえ任意の搬送波の変調された任意の実データの存在があってもビットロードとは無関係に、対応するＰＳＤマスクまで、ただしこれを超えないレベルで副搬送波信号を吐き出す。線が短く、クロストークの干渉が大きい場合、疑似リンクは、たとえばＡＣＫＲＥＱを介して、このクロストークリンクにわたり要求側加入者と応答側ＣＯ送受信機との間で確立される可能性がある。クロストーク、およびそれが表す誘導結合は、セッションを確立するために必要とされる通信を可能にする。疑似リンク管理モジュールは、疑似セッションを検出して中断し、それにより物理的に結合されたＣＯとリモート送受信機との間の正常セッションが開始されるようにすることで、この問題を処理する。
【００１９】
図３は、ＸＤＳＬ疑似リンク管理が行われる時間間隔ｔ０〜ｔ３にわたる加入者線の代表的な１つのマルチトーン変調プロトコルのスペクトルプロファイルを示す３軸のグラフである。電力に対する周波数の４つの部分グラフ３００、３２０、３４０、３６０は、それぞれ関連する時間ｔ０、ｔ１、ｔ２、およびｔ３において示される。
【００２０】
ｔ０において、選択されたＣＯ送受信機の疑似リンク管理モジュールは、結合されている加入者線のリスニングを開始する。部分グラフ３００は、たとえば時間ｔ０における加入者線１０４などの、選択された加入者線の信号アクティビティを示す。この時点において、ＣＯ送受信機によってセッションは確立されず、むしろＣＯ送受信機は、結合されているリモートモデムがセッションを確立しようとしていることを指示するＡＣＫＲＥＱをリスニングしている。ＣＯ送受信機の疑似リンク管理モジュールが代わりに検出するものは、部分グラフ３００に示される。特に、低周波数ＰＳＴＮ信号３０２、通信信号３０４、およびクロストーク３１２が示される。ＰＳＴＮ信号３０２は、周波数０〜４ｋＨｚの範囲に及ぶ。通信信号３０４は、さまざまなＸＤＳＬプロトコルのアップストリーム信号スペクトルに関連付けられている周波数２５ｋＨｚ〜１３８ｋＨｚの範囲に及ぶ。アップストリーム信号３０４の電力レベルは、さまざまなＸＤＳＬ規格に関連付けられている信号に対応し、クロストーク３１２電力レベルを大幅に上回る。このことは、リモートモデムが疑似セッションに関与することを指示する。
【００２１】
疑似リンク管理モジュールの応答は、時間ｔ１における部分グラフ３２０に示される。特に、疑似リンク管理モジュールは、たとえば加入者線１０４など、監視している加入者線にディスラプタ信号３２８を注入する。ディスラプタ信号は、クロストーク３１２のレベルをわずかに上回り、しかもＸＤＳＬ規格のいずれかによって禁止されたダウンストリーム通信信号に関連付けられている電力レベルを下回る電力レベルを有する。
【００２２】
中断の結果は、時間ｔ２における部分グラフ３４０に示される。時間ｔ２において、ディスラプタ信号は停止している。ディスラプタ信号は、リモート送受信機の疑似セッションを中断して、リモート送受信機またはモデムが、物理的に結合されていないＣＯ送受信機とのその疑似セッションを終了させた。リモート送受信機は、物理的に結合されているＣＯ送受信機との新しいセッションを要求するＡＣＫＲＥＱ信号３４６を送信する。ＡＣＫＲＥＱ信号を搬送するトーンの１つまたは複数のセットの場所および間隔は、ＸＤＳＬ規格によって異なる。示される例において、ＡＣＫＲＥＱ信号に専用のトーンは、インデックス９、１７、および２５で示されるトーンである。追加のトーンはまた、たとえばインデックス９４４、９７２、および９９９で示されるトーンなど、ＡＣＫＲＥＱ信号のトランスポートに使用されてもよい。
【００２３】
部分グラフ３６０は、物理的に結合された選択されたＣＯ送受信機とリモート送受信機との間の新しいセッションが確立された後の、時間ｔ３における選択された加入者線のスペクトルを示す。アップストリーム３６４およびダウンストリーム３６８通信信号のスペクトルプロファイルは、示される例において、ＡＤＳＬ通信プロファイルに対応する。
【００２４】
図４は、疑似リンク管理のコンポーネントを組み入れるＸＤＳＬ送受信機４００を示すハードウェアブロック図である。送受信機は、相互に結合されて送信パス４１０、受信パス４６０を形成する複数の共有および／または個別のコンポーネント、ローカル疑似リンク管理モジュール４４０、および送受信機の送信パスおよび受信パスを加入者線４５６に結合するハイブリッドフロントエンド（ＨＦＥ）４５４を含む。
【００２５】
本発明のこの実施形態における受信パス４６０は、アナログフィルタ４６２、回線増幅器４６４、アナログデジタル変換器（ＡＤＣ）４６６、デジタルフィルタ４６８、デシメータ４７０、巡回プレフィックスリムーバ４７２、離散フーリエ変換エンジン（ＤＦＴ）４７４、周波数領域等化器４７６、復号器４７８、トーン再オーダラ４８０、およびデフレーマ４８２を含む。動作中、各通信チャネルの受信データは、アナログフィルタ処理および増幅が行われる。次いで、受信データは、ＡＤＣにおいてデジタル化され、その後、デジタルフィルタ処理がある場合はこれに続く。次に、受信データは、デシメータにおいて任意の必要なデシメーション（間引き）が行われる。次に、各データシンボルの巡回プレフィックスまたはサフィックスが除去される。次いで、データの各シンボルは、ＤＦＴにおいて時間領域から周波数領域に変換され、周波数領域において等化が行われる。次いで、データの各シンボルは、復号器において復号化され、トーン再オーダラにおいてシリアル化される。次いで、復調されたデータは、デフレーマにおいてフレーム解除され、送受信機が結合されるＡＴＭ、イーサネット（登録商標）、または他のネットワークに転送される。
【００２６】
送信パス４１０は、フレーマ４１２、トーンオーダラ４１４、符号器４１６、周波数領域等化器４１８、逆離散フーリエ変換エンジン（ＩＤＦＴ）４２０、巡回プレフィックスラッパ４２２、補間器４２４、デジタルフィルタ４２６、デジタルアナログ変換器（ＤＡＣ）４２８、回線ドライバ４３０、およびフィルタ４３２を含む。動作中、各通信チャネルの送信データは、フレーマにおいてフレーム化され、トーンオーダラによって対応するトーンビンにビット単位でロードされ、シンボル配列内の対応点の複素数表現に変換され、周波数領域等化が行われる。次いで、結果として得られたトーンの各セット、すなわちシンボルは、ＩＤＦＴにおいて周波数領域から時間領域に変換される。続いて、任意の必要な巡回サフィックスまたはプレフィックスが追加され、時間領域において結果として得られたデータは、補間器において補間が行われる。デジタルフィルタにおけるフィルタ処理後、補間されたデータは、ＤＡＣに渡される。ＤＡＣは、各通信チャネルのデジタル化データを、対応するアナログ信号に変換する。これらのアナログ信号は、回線ドライバによって増幅される。回線ドライバの増幅された出力は、アナログフィルタに渡され、次いでＨＦＥ４５４を介して加入者線４５６に渡される。
【００２７】
本発明の１つの実施形態において、送受信機はまた、ローカル疑似リンク管理モジュール４４０も含む。このモジュールは、疑似リンクの検出および中断を扱うが、疑似リンクの存在は、加入者線を介して相互に物理的に結合されていないローカル送受信機とリモート送受信機との間の疑似セッションを指示する。
【００２８】
ローカル疑似リンク管理モジュール４４０は、コントローラ４４４、クロストーク検出器４４６、ディスラプタ４４８、および回線モニタ４５０を含む。ローカル疑似リンク管理モジュールは、受信パスへの接続４４２を介して受信された通信を監視し、任意の必要なディスラプタ信号を接続４５２を介して送信パスに注入する。動作中、疑似リンク管理モジュール、および特にそのコントローラは、一般に送受信機のアクティブ化、または特にＤＳＬＡＭコントローラ１２２によるアクティブ化に応答する（図１を参照）。疑似リンク管理モジュールの動作は、関連する送受信機の動作のトレーニングフェーズの前に行われ、リモートモデムが疑似セッションに入らないこと、または疑似セッションに入る場合には疑似セッションが中断されることを保証する。
【００２９】
アクティブ化されるとき、ローカル疑似リンク管理モジュールは、回線モニタ４５０を介して加入者線４５６の監視を行えるようにし、クロストーク検出器４４６を介してその加入者線のクロストークレベルの測定を行えるようにする。回線モニタは、疑似リンクおよび関連する疑似セッションの指示があるか否か関連する加入者線４５６を聴取する。たとえばアップストリーム通信信号３０４（図３を参照）などの通信信号が検出される場合、ディスラプタ４４８は指定された時間間隔の間アクティブ化され、その後疑似セッションはリモート送受信機によって中途終了される。たとえば加入者線４５６上でリモート送受信機が物理的に結合されているＣＯ送受信機４００などの適正な送受信機によって、任意の後続のＡＣＫＲＥＱ信号が受信され、肯定応答される。その後、疑似リンクが生じることなく、物理的に接続されている送受信機間で、正常セッションが確立される。
【００３０】
この図および以降の図に示されるハードウェアブロックは、ソフトウェアまたはファームウェアにおいて代替的に実施されてもよい。上記で説明されている送信パスおよび受信パス、ならびにその拡張可能なコンポーネントは、複数のＸＤＳＬチャネルが送受信機の送信パスおよび受信パスで多重化される本発明の実施形態において同等に有利に適用されてもよい。送信パスおよび受信パスコンポーネントは、通信チャネルの連続パケット化部分のパケットベースの転送によって、またはコンポーネント間の専用の２地点間結合によって、相互に結合されてもよい。本発明のさらにもう１つの実施形態において、疑似リンク管理プロセスは、疑似リンク管理ユニット１３８においてカードで実施されてもよい（図１を参照）。
【００３１】
図４に示されるコンポーネントは、集合的に物理送受信機を備える。本発明の代替の実施形態において、コンポーネントによって実行される機能は、図１の回線カード１３４で示されるような、組み合わされたデジタル信号プロセッサ（ＤＳＰ）およびアナログフロントエンド（ＡＦＥ）で実施される論理送受信機で実施されてもよい。
【００３２】
図５は、ＸＤＳＬ疑似リンク管理に関連付けられているプロセスの実施形態を示すプロセス流れ図である。開始５００の後、制御はプロセス５０２に移動する。プロセス５０２において、疑似リンクマネージャのＤＳＬＡＭまたは送受信機のアクティブ化は、疑似リンクがあるか否か選択された加入者線を監視する結果をもたらす。プロセス５０４において、選択された加入者線のクロストークもまた測定される。次に、決定プロセス５０６において、疑似セッションを指示する通信信号が選択された加入者線に存在するか否かについて決定が行われる。信号が存在しない場合、制御は決定プロセス５１２に移動する。信号が存在する場合、疑似リンクを中断するため、制御はプロセス５０８および５１０に移動する。プロセス５０８において、ディスラプタ信号の電力レベルは、測定されたクロストークのレベルをわずかに上回り、しかもＸＳＬ規格のいずれかのダウンストリーム電力マスクに関連付けられている電力レベルを十分に下回るレベルで設定される。次に、プロセス５１０において、ディスラプタ信号は、設定された間隔の間、送受信機の送信パスに注入される。次に、決定プロセス５１２において、リモート送受信機が正常セッションを要求するＡＣＴＲＥＱ信号を送信しているか否かについて決定が行われる。送信していない場合、制御は決定プロセス５０６に戻る。しかしＡＣＴＲＥＱ信号が受信される場合は、制御は、動作のトレーニングフェーズが開始されるプロセス５１４に移動する。トレーニングが完了すると、物理的に結合されたＣＯおよびリモート送受信機は、新しいセッションのショータイムフェーズ５１４に入る。
【００３３】
本発明の好ましい実施形態の前述の説明は、例示および説明の目的で提示されている。これは、包括的であること、または本発明を開示される厳密な形態に限定することを意図されていない。明白に、多数の変形および変種は、当業者に明らかとなろう。本発明の範囲が、以下の特許請求の範囲およびそれら相当物によって定義されることが意図される。
【図１】
2011511535.tif 000004
【図２Ａ】
2011511535.tif 000005
【図２Ｂ】
2011511535.tif 000006
【図３】
2011511535.tif 000007
【図４】
2011511535.tif 000008
【図５】
2011511535.tif 000009
【国際調査報告】
2011511535.tif 000010